(57)【要約】      （修正有）【課題】トレイユニット内の食器の上端がスプレーアームの下端より低く、スプレーアームが回転噴水の過程で食器を擦ることを防止でき、動作の安定性を保証する食器洗浄機を提供する。【解決手段】食器洗浄機はハウジングと、ハウジングの内壁に沿って設けられたライナと、ライナに装着された椀かごと、ライナに設けられ、食器を収容するための収容空間を有するトレイユニットとを備え、ライナの天井部には、上向きに凹んだ凹み溝が設けられ、凹み溝内には、トレイユニットの収容空間内に配置された食器を洗浄するように、噴水するためのスプレーアームが設けられ、トレイユニットは凹み溝と椀かごとの間に横置かれる。該食器洗浄機はスプレーアームを装着した場合、食器洗浄機の内部サイズを大きくせず、スプレーアームにより、トレイユニット内の食器の洗浄効果を向上させる。【選択図】図６
0003235098.tif 000002
【実用新案登録請求の範囲】
【請求項１】
ハウジングと、前記ハウジングの内壁に沿って設けられたライナと、ライナに装着された椀かごと、ライナに設けられており、食器を収容するための収容空間を有するトレイユニットとを備える食器洗浄機であって、
前記ライナの天井部には、上向きに凹んだ凹み溝が設けられ、前記凹み溝内には、前記トレイユニットの収容空間内に配置された食器を洗浄するように、噴水するためのスプレーアームが設けられ、前記トレイユニットは、前記凹み溝と椀かごとの間に横置かれることを特徴とする食器洗浄機。
【請求項２】
前記スプレーアームには、凹み溝の側壁に横方向に沿って噴水する第１噴射口が設けられ、前記第１噴射口の水流が前記凹み溝の側壁に噴射されるとともに、前記凹み溝の側壁に沿って下に滴り落ちることを特徴とする請求項１に記載の食器洗浄機。
【請求項３】
前記凹み溝の頂壁には、前記スプレーアームを装着するための枢軸が設けられており、前記枢軸の側壁には、前記スプレーアーム内に給水するための水通過孔が設けられ、前記スプレーアームと枢軸との間には環状隙間があることを特徴とする請求項１に記載の食器洗浄機。
【請求項４】
前記食器洗浄機には、さらに前記ハウジングと前記ライナとの間にある入水ジョイントが設けられており、前記枢軸は前記スプレーアームを前記入水ジョイントに接続し、前記入水ジョイントと前記枢軸によって、前記ライナの上面と下面をクランプすることを特徴とする請求項３に記載の食器洗浄機。
【請求項５】
前記トレイユニットは、細長い食器を収容するための箸貯蔵領域と、スプーンを収容するためのスプーン貯蔵領域とを有し、前記スプーン貯蔵領域の収容の深さは、前記箸貯蔵領域の収容の深さより大きいことを特徴とする請求項１に記載の食器洗浄機。
【請求項６】
前記椀かごは皿収容領域と椀収容領域とを有し、前記箸貯蔵領域は前記皿収容領域の上方にあり、前記スプーン貯蔵領域は前記椀収容領域の上方にあることを特徴とする請求項５に記載の食器洗浄機。
【請求項７】
前記凹み溝は、前記スプレーアームを取り囲む収容領域と、前記収容領域の外周に位置するとともに、前記トレイユニットに置かれたスプーンの匙口の上方に位置する水流拡張領域と、を有することを特徴とする請求項１〜６のいずれか１項に記載の食器洗浄機。
【請求項８】
前記収容領域の側壁は円弧状を呈して、前記水流拡張領域の側壁と前記収容領域の側壁とは相接するように接続され、前記水流拡張領域は収容領域に接近する側から、収容領域から離れた側まで、徐々に収縮することを特徴とする請求項７に記載の食器洗浄機。
【請求項９】
前記トレイユニットは箸を収容するための箸貯蔵領域と、スプーンを収容するためのスプーン貯蔵領域とを有し、前記水流拡張領域の、収容領域から離れた側の側壁が、スプーン貯蔵領域の最外側のスプーンの匙口の上方にあることを特徴とする請求項７に記載の食器洗浄機。
【請求項１０】
前記ライナの側壁にはレールが設けられ、前記トレイユニットの両側には、レールと係合する滑り溝構成が設けられ、前記滑り溝構成は、上部にある上係合筋と、下部にある下係合筋とを有し、前記上係合筋と前記下係合筋とが交互に配置されており、前記トレイユニットに対する押し入れまたは引き出しを実現するように、前記滑り溝構成と前記レールとを対応するように組み合わせることを特徴とする請求項１〜６のいずれか１項に記載の食器洗浄機。
【考案の詳細な説明】
【関連出願】
【０００１】
本出願は、２０１８年０９月２９日にて中国特許庁に提出され、出願番号が２０１８２１５９８３１６.５であり、考案名称が「食器洗浄機」であり、及び
２０１８年０９月２９日にて中国特許庁に提出され、出願番号が２０１８２１５９８１９５.４であり、考案名称が「食器洗浄機」である中国特許出願の優先権を主張し、
その全ての内容は援用されることで、本出願に結合される。
【技術分野】
【０００２】
本出願はキッチン家電という技術分野に関わり、具体的に、食器洗浄機に関わる。
【背景技術】
【０００３】
従来の食器洗浄機において、一般的に、食器洗浄機のライナの底部に、椀かごにおける食器を洗浄するためのスプレー洗浄システムを設けて、ライナに、箸、スプーン、フォークなどの食器を置くための箸かごを設けて、一般的に、箸かごは、箸、スプーン、フォークなどの食器を縦方向に挿入させるように配置され、空間位置の設計のため、箸かごは一般的に、ライナの側壁の４つの隅のうちの１つに装着され、該装着位置は、スプレー洗浄システムから最も遠い隅であり、椀かごにおける食器の遮蔽、箸かごにおける食器の配置の集中のため、箸かご内の食器の洗浄度が低いということは、業界の食器洗浄機の通弊であり、いくつかの食器洗浄機は、ライナの天井部に補助噴水システムを配置することで、洗浄効果を強化するが、箸かごの装着位置及び箸かご内の食器の置き方のため、箸及びスプーンなどの食器はきれいに洗浄されることができないという問題が終始解決されず、箸かごの位置を変更することは、食器洗浄機の内部空間を増やし、これによって、食器洗浄機全体のサイズが大きくなり、ユーザは食器洗浄機を収納するためのより大きい空間を提供しなければならなくて、ユーザの、空間に対するコンパクトな配置には不利であるから、如何に優れたライナの食器配置空間で、箸かごを設けることは、本出願の追求の革新改良である。
【考案の概要】
【考案が解決しようとする課題】
【０００４】
本出願の実施形態は、箸、スプーンなどの食器の洗浄効果を向上できるだけでなく、食器洗浄機の内部空間の配置がコンパクトになり、食器洗浄機の外部サイズを大きくすることがなく、ユーザの、空間に対するコンパクトな配置に寄与する食器洗浄機を提供することを、目的とする。
【課題を解決するための手段】
【０００５】
前記技術問題を解決するために、本出願は食器洗浄機を提供し、ハウジングと、前記ハウジングの内壁に沿って設けられたライナと、ライナに装着された椀かごと、ライナに設けられており、食器を収容するための収容空間を有するトレイユニットとを備え、前記ライナの天井部には、上向きに凹んだ凹み溝が設けられ、前記凹み溝内には、前記トレイユニットの収容空間内に配置された食器を洗浄するように、噴水するためのスプレーアームが設けられ、前記トレイユニットは、前記凹み溝と椀かごとの間に横置かれる。
【０００６】
本出願の実施形態の食器洗浄機は、スプレーアームの装着を実現した場合、食器洗浄機の内部サイズを大きくすることがなく、スプレーアームにより、トレイユニットにおける食器の洗浄効果を向上させる。トレイユニットにおける食器の上端がスプレーアームの下端より低く、スプレーアームが回転噴水の過程で食器を擦ることを防止でき、食器洗浄機の動作の安定性を保証する。
【０００７】
好ましくは、前記スプレーアームには、凹み溝の側壁に横方向に沿って噴水する第１噴射口が設けられ、前記第１噴射口の水流が前記凹み溝の側壁に噴射されるとともに、前記凹み溝の側壁に沿って下に滴り落ちる。
【０００８】
凹み溝の側壁から、下に滴り落ちた水流は、側壁の下方にある食器を十分に洗浄し、食器の洗浄効果を向上させる。
【０００９】
好ましくは、前記凹み溝の頂壁には、前記スプレーアームを装着するための枢軸が設けられ、前記枢軸の側壁には、前記スプレーアーム内に給水するための水通過孔が設けられ、前記スプレーアームと枢軸との間には環状隙間がある。
【００１０】
環状隙間の配置は、スプレーアームと枢軸との間の回転抵抗力を減少でき、スプレーアームの順調な回転を保証する。
【００１１】
好ましくは、前記食器洗浄機には、さらに前記ハウジングと前記ライナとの間にある入水ジョイントが設けられ、前記枢軸は前記スプレーアームを前記入水ジョイントに接続し、前記入水ジョイントと前記枢軸によって、前記ライナの上面と下面をクランプする。
【００１２】
好ましくは、前記トレイユニットは、細長い食器を収容するための箸貯蔵領域と、スプーンを収容するためのスプーン貯蔵領域とを有し、前記スプーン貯蔵領域の収容の深さは、前記箸貯蔵領域の収容の深さより大きい。好ましくは、前記椀かごは皿収容領域と椀収容領域とを有し、前記箸貯蔵領域は前記皿収容領域の上方にあり、前記スプーン貯蔵領域は前記椀収容領域の上方にある。
【００１３】
箸貯蔵領域を皿収容領域の上方に設けて、スプーン貯蔵領域を椀収容領域の上方に設けて、そして、スプーン貯蔵領域の底部が箸貯蔵領域の底部より低くするように配置されることで、椀収容領域と皿収容領域との間の高低差を十分に利用でき、椀の上方空間を十分に利用してスプーン貯蔵領域を設けて、スプーン貯蔵領域の収容の深さが箸貯蔵領域の収容の深さより大きいように保証するとともに、食器洗浄機の内部空間を大きくすることがない。
【００１４】
好ましくは、前記凹み溝は、前記スプレーアームを取り囲む収容領域と、前記収容領域の外周に位置するとともに、前記トレイユニットに置かれたスプーンの匙口の上方に位置する水流拡張領域と、を有する。
【００１５】
このような構成において、スプレーアームから下に噴き出された水は、直接的に、収容領域の下方にある食器を洗浄できる。水流拡張領域の配置により、凹み溝はトレイユニットにおける全ての食器を覆うことができ、トレイユニットにおける食器はいずれも水流に洗浄されるように保証し、食器の全体洗浄効果を向上させる。そして、水流拡張領域の側壁から滴下した水は、スプーンの匙口に滴り落ちて、さらに、スプーンの匙口の洗浄効果を向上させ、洗浄が不十分という状況を避ける。
【００１６】
好ましくは、前記収容領域の側壁は円弧状を呈して、前記水流拡張領域の側壁と前記収容領域の側壁とは相接するように接続され、前記水流拡張領域は収容領域に接近する側から、収容領域から離れた側まで、徐々に収縮する。
【００１７】
このような構成の収容領域はスプレーアームの回転輪郭と整合し、スプレーアームの装着配置を便利にする。水流拡張領域の側壁と前記収容領域の側壁とは相接するように接続され、水流拡張領域の側壁と収容領域の側壁との間の水流の流動に寄与し、抵抗力を小さくして、側壁から滴り落ちた水流による洗浄効果を向上させ、水流拡張領域のサイズが大きすぎることを避け、ライナの全体構成強度を保証し、ライナの外部にある部材に、利用可能な空間を提供する。
【００１８】
好ましくは、前記トレイユニットは箸を収容するための箸貯蔵領域と、スプーンを収容するためのスプーン貯蔵領域とを有し、前記水流拡張領域の、収容領域から離れた側の側壁が、スプーン貯蔵領域内の最外側のスプーンの匙口の上方にある。
【００１９】
好ましくは、前記ライナの側壁にはレールが設けられ、前記トレイユニットの両側には、レールと係合する滑り溝構成が設けられ、前記滑り溝構成は、上部にある上係合筋と、下部にある下係合筋とを有し、前記上係合筋と前記下係合筋とが交互に配置されており、前記トレイユニットに対する押し入れまたは引き出しを実現するように、前記滑り溝構成と前記レールとを対応するように組み合わせる。本出願は滑り溝とレールとの間の摩擦力を減少させ、滑り溝構成とレールとの組み合わせ及び分離を便利にする。
【００２０】
本出願の他の特徴及び利点について、以下の明細書で記載し、部分的に明細書から明らかになり、または本出願を実施することで了解される。本出願の目的及び他の利点について、さらに、明細書、請求項及び図面から特別に指摘された構成により、実現及び取得できる。
【００２１】
図面は、本出願の技術案に対する限定を構成せず、本出願の技術案に対するさらなる理解を提供するとともに、明細書の一部を構成し、本出願の実施形態とともに、本出願の技術案を解釈するために用いられる。
【図面の簡単な説明】
【００２２】
【図１】本出願の実施形態の食器洗浄機の構成模式図である。
【図２】本出願の実施形態の食器洗浄機食器の置き方の構成模式図である。
【図３】図２のＡ部分の拡大模式図である。
【図４】図３のＢ部分の拡大模式図である。
【図５】ライナの立体構成模式図である。
【図６】ライナの平面視構成模式図である。
【図７】トレイユニットの食器の置き方の模式図である。
【図８】トレイユニットの構成模式図である。
【図９】トレイユニットとレールとの係合の構成模式図である。
【図１０】レールの構成模式図である。
【考案を実施するための形態】
【００２３】
本出願の目的、技術案及び利点を明らかにするために、以下は図面を結合して本出願の実施形態を詳しく説明する。説明しようとするのは、衝突しない場合、本出願の実施形態及び実施形態の特徴は、互いに任意に組み合わせてもよい。
【００２４】
以下は具体的な実施形態を介して、本出願の内容を詳しく紹介する。
【００２５】
図１は本出願の実施形態の食器洗浄機の構成模式図である。図１〜図２に示すように、本出願の実施形態の食器洗浄機はハウジング１０と、ハウジング１０の内壁に沿って設けられたライナ２０と、ライナ２０に装着された椀かご３０とを有する。椀かご３０は、皿３１を置くための皿収容領域と、椀３２を置くための椀収容領域とを有する。食器洗浄機はさらに、ライナの内部に設けられており、箸、スプーン、小皿などの食器を置くための収容空間を有するトレイユニット４０を備える。図２に示すように、ライナ２０の天井部には、上向きに凹んだ凹み溝２１が設けられ、凹み溝２１は、ライナ２０の頂壁から上向きに凹むように形成される。トレイユニット４０は凹み溝２１と椀かご３０との間に横置かれる。凹み溝２１内には、噴水することで、洗浄トレイユニット４０における食器、即ち、トレイユニット４０の収容空間内に配置された食器を洗浄するためのスプレーアーム２２が設けられる。理解できるように、食器洗浄機の動作過程で、トレイユニット４０の収容空間内に配置された食器の上端が、スプレーアーム２２の下端より低くするように設けられることで、スプレーアーム２２の運動に干渉することを避ける。
【００２６】
本出願の実施形態の食器洗浄機において、ライナ２０の天井部には凹み溝２１が設けられ、スプレーアーム２２は凹み溝２１内に設けられ、トレイユニット４０は椀かご３０の上方に横置かれ、このような構成は、スプレーアーム２２の装着を実現した場合、食器洗浄機の内部サイズを大きくすることがなく、その同時、スプレーアーム２２は直接的にトレイユニット４０に横置かれた食器に対して噴射洗浄を行って、トレイユニット４０における食器も分散に配列されてもよく、縦置かれるように挿着された箸かごに比べると、本出願はトレイユニット４０における食器の洗浄効果を向上させる。トレイユニット４０における食器の上端がスプレーアーム２２の下端より低くするように配置されることで、スプレーアーム２２が回転噴水過程で食器を擦ることを防止でき、食器洗浄機の動作の安定性を保証する。
【００２７】
図３は図２のＡ部分の拡大模式図である。本実施形態において、スプレーアーム２２には第１噴射口２２１が設けられ、第１噴射口２２１は横方向に沿って配置されるから、第１噴射口２２１から噴き出された水流は、横方向に沿って凹み溝２１の側壁２１１まで噴射され、側壁２１１に沿って下に滴り落ちる。第１噴射口２２１はスプレーアーム２２の端部、上面、または下面に設けられてもよく、該第１噴射口２２１から噴き出された水流は、凹み溝２１の側壁２１１まで、横方向に噴射さればよい。このような構成は、凹み溝２１の側壁２１１を十分に利用し、側壁２１１にも滴り落ちる水流があり、このように、凹み溝２１の側壁２１１の下方にある食器は、側壁２１１から滴り落ちた水流により、十分に洗浄され、食器の洗浄効果を向上させる。
【００２８】
側壁２１１から滴り落ちた水流量を大きくするために、スプレーアーム２２には、さらに上向きに噴水する第２噴射口が設けられてもよい。第２噴射口から噴き出された水流は、凹み溝２１の頂壁まで噴射される。
【００２９】
図５は図１のライナの立体構成模式図であり、図６はライナの平面視構成模式図である。図５から分かるように、凹み溝２１はライナの頂壁から上向きに凹むように成形される。図３及び図５に示すように、凹み溝２１の頂壁は、第２噴射口から凹み溝２１の頂壁に噴射された水を、側壁２１１に案内できる案内面２１２を有する。このように、側壁２１１における滴り落ちた水流量を大きくして、さらに、側壁２１１の下方にある食器の洗浄効果を向上できる。
【００３０】
スプレーアーム２２の回転を実現するために、図３〜図５に示すように、凹み溝２１の天井部には、スプレーアーム２２を装着するための枢軸２３が設けられる。図４に示すように、前記凹み溝２１内には、ライナ２０の頂壁を貫通する装着口８が設けられ、前記食器洗浄機にはさらに、前記ハウジング１０と前記ライナ２０との間にある入水ジョイント５が設けられ、前記入水ジョイント５と前記枢軸２３とは、前記装着口８の上下両側から取り外し可能に装着され、本実施形態において、両者はネジ係合を介して接続され、雌ネジ、雄ネジとの係合により、枢軸２３と入水ジョイント５との取り外し可能な接続を実現し、前記枢軸２３は、前記スプレーアーム２２を前記入水ジョイント５に接続する。前記装着口８の両側にはネジ装着柱１２が設けられ、前記入水ジョイント５はネジにより、前記ライナ２０の外面に固定装着され、前記枢軸２３の天井面が前記ライナ２０の内面に当接され、ネジ螺合の過程で、前記入水ジョイント５と前記枢軸２３とは前記ライナ２０の上面と下面をクランプする。
【００３１】
枢軸２３の側壁には水通過孔２３１が設けられる。枢軸２３は管状の軸体を呈しており、水管に連通する。水管内の水は枢軸２３内に流入し、枢軸２３内の水は水通過孔２３１を介してスプレーアーム２２内に給水される。給水圧力の作用で、スプレーアーム２２は枢軸２３の周りに回転する。スプレーアーム２２と枢軸２３との間の回転抵抗力を減少させるために、本実施形態において、スプレーアーム２２と枢軸２３との間には環状隙間２３２があり、これによって、前記スプレーアーム２２を枢軸２３に対してより容易に回動させる。水が枢軸２３から、水通過孔２３１を介してスプレーアーム２２に入射される場合、環状隙間２３２の存在のため、水通過孔２３１から流出した一部の水は、水圧作用で、環状隙間２３２を介して凹み溝２１の頂壁にスプレーされる。案内面２１２の案内作用で、凹み溝の頂壁にスプレーされた水は、凹み溝の側壁２１１に案内される。本実施形態において、環状隙間２３２は第２噴射口を形成する。無論、凹み溝の頂壁に噴水することを実現するために、スプレーアーム２２の先端に、第２噴射口を形成するための補助噴水孔を配置してもよく、スプレーアーム２２内の水は、補助噴水孔を介して、凹み溝の頂壁まで、上向きに噴水する。
【００３２】
本実施形態において、水通過孔２３１は枢軸２３の周向に沿って均一に配置される。このように、水通過孔２３１から噴き出された水は、周向に沿って均一にスプレーアーム２２内に入って、スプレーアーム２２の、回転方向での受力が均一であるように保証し、回転過程でスプレーアーム２２にずれが生じることを避け、食器の洗浄効果を保証する。
【００３３】
前記装着口８はライナ２からケース１の方向に延伸する第１ボス９を有し、前記入水ジョイント５の外周には、前記第１ボス９の天井面に当接された第１位置制限フランジ１１が設けられ、前記第１ボス９の底面には、前記枢軸２３の天井面に当接された段階面１６が設けられ、前記入水ジョイント５の第１位置制限フランジ１１の底面と枢軸２３の天井面とは、それぞれ前記第１ボス９の天井面と段階面１６との両端に挟まれ、前記第１ボス９内の、入水ジョイント５に接近する側には装着溝が設けられ、前記装着溝内にはシールリング１７が装着され、前記シールリング１７は装着溝と第１位置制限フランジ１１との間に挟まれ、このような配置のシール性が理想であり、洗浄液が装着口８からライナ２０外に流出することを避ける。
【００３４】
スプレーアーム２２の、前記枢軸２３に外嵌される縁には、前記接続ジョイント５の方向に延伸する環状位置制限リブ１９が設けられ、前記装着口８には、接続ジョイント５の方向に凹んだ位置制限溝１８が設けられ、前記位置制限リブ１９は前記位置制限溝１８に入り込み、前記位置制限リブ１９と前記位置制限溝１８とは隙間嵌められることで、前記スプレーアーム２２を枢軸２３に対してより容易に回動させ、スプレーアーム２２の、径方向または軸方向に沿う揺動の幅が制御可能であり、スプレーアーム２２の揺動の幅が大きすぎて、ライナ２０の頂壁に干渉することを避け、スプレーアーム２２の回動スプレーを便利にする。
【００３５】
容易に理解できるように、スプレーアーム２２の下端にはさらに、下向きに噴水する噴水孔が設けられる。スプレーアーム２２の回転過程で、噴水孔から噴き出された水はトレイユニット４０における食器を洗浄する。
【００３６】
スプレーアーム２２の動作過程で、スプレーアーム２２が凹み溝側壁２１１に干渉することを防止するために、本実施形態において、スプレーアーム２２の回転過程で、スプレーアーム２２の外端部と凹み溝２１の側壁２１１との間の隙間が５ｍｍより大きい。スプレーアーム２２の外端部と凹み溝２１の側壁２１１との間の隙間が５ｍｍより小さいと、スプレーアーム２２の回転過程で、スプレーアーム２２の外端部は、凹み溝の側壁２１１に触る可能性があり、スプレーアーム２２の動作の安定性に影響し、出水量を減少させ、さらに、食器の洗浄効果に影響する。
【００３７】
本実施形態において、スプレーアーム２２の下端とトレイユニットにおける食器の上端との間の距離は１５ｍｍ〜４０ｍｍである。スプレーアーム２２の下端と食器の上端との間の距離を１５ｍｍ〜４０ｍｍにすることで、スプレーアーム２２が回転過程で食器に触ることを避ける上に、食器洗浄機の内部空間を節約し、食器洗浄機の内部のコンパクトな配置を保持し、食器洗浄機の外部サイズの過度の増大を避け、該距離は１５ｍｍより小さいと、スプレーアーム２２が回転過程で、食器の先端に触る可能性があり、スプレーアームの動作の不安定を招致して、洗浄効果に影響し、一方、該距離が４０ｍｍより大きいと、スプレーアーム２２が食器の先端に触ることを防止できるが、食器洗浄機の内部サイズを大きくして、食器洗浄機の外部サイズが大きくなり、ユーザの、空間に対するコンパクトな配置には不利である。
【００３８】
図７及び図８は図１のトレイユニット４０の模式図である。本実施形態において、トレイユニット４０は、箸などの細長い食器を収容するための箸貯蔵領域４１と、スプーン４２６を収容するためのスプーン貯蔵領域４２とを有する。スプーン貯蔵領域４２の収容の深さが、箸貯蔵領域４１の収容の深さより大きく、これは、スプーンの高さが箸の高さより大きいということと対応し、細長い食器とスプーンとが同時にトレイユニット４０に収容されるように保証し、特に、スプーン貯蔵領域４２の収容の深さが適切である場合、スプーンの匙口の垂直配置を実現でき、スプーンの匙口内に汚れが残留されることを避け、さらに、スプーンの清潔効果を向上する。
【００３９】
容易に理解できるように、皿３１の外径は一般的に、椀３２の外径より大きい。食器洗浄機において、皿及び椀に対する洗浄を実現するために、図２に示すように、皿３１及び椀３２は、一般的に垂直に配置されるから、皿３１が所在する皿収容領域の空間の高さが、椀３２が所在する椀収容領域の空間の高さより大きい。食器洗浄機の内部空間のサイズを小さくするために、本実施形態において、箸貯蔵領域４１は皿収容領域の上方にあり、スプーン貯蔵領域４２は椀収容領域の上方にあり、スプーン貯蔵領域４２の底部が箸貯蔵領域４１の底部より低い。
【００４０】
図２から分かるように、皿３１の高さは椀３２の高さより大きいから、皿収容領域と椀収容領域との間には一定の高低差が存在する。箸貯蔵領域４１を皿収容領域の上方に設けて、スプーン貯蔵領域４２を椀収容領域の上方に設けて、スプーン貯蔵領域４２の底部が箸貯蔵領域４１の底部より低くするように配置されば、椀収容領域と皿収容領域との間の高低差を十分に利用でき、椀３２の上方の空間を十分に利用して、スプーン貯蔵領域４２を配置し、スプーン貯蔵領域４２の収容の深さが箸貯蔵領域４１の収容の深さより大きいように保証するとともに、食器洗浄機の内部空間を増やすことがない。このような構成の食器洗浄機は、内部空間の配置がよりコンパクト且つ合理で、食器洗浄機が機能を満たすとともに、小さい外部体積を有し、ユーザの、外部空間のコンパクトに対する需求を満たす。
【００４１】
前記スプーン貯蔵領域４２は小スプーン貯蔵領域４２１と大スプーン貯蔵領域４２２とを有し、小スプーンは小スプーン貯蔵領域４２１に配置され、大スプーンは大スプーン貯蔵領域４２２に配置され、トレイユニット４０には、深さが左から右へ漸増する箸貯蔵領域４１、小スプーン貯蔵領域４２１及び大スプーン貯蔵領域４２２が設けられ、大スプーン貯蔵領域４２２の底部が小スプーン貯蔵領域４２１の底部より低く、大スプーン貯蔵領域４２２はトレイユニット４０の辺側にあり、ライナ２０側壁と円形椀３２との夾角空間に設けられることで、ライナ空間を十分に利用して、深さがより深い大スプーン貯蔵領域４２２を収容できる。このように、大スプーンは大スプーン貯蔵領域４２２内に配置された場合、小スプーンの先端と略揃えて、スプレーアーム２２がスプーンに触ることを防止する。
【００４２】
実際に食事する場合、大スプーンの数は一般的に１つであるから、実際に大スプーン貯蔵領域４２２を配置する際、大スプーン貯蔵領域４２２の横方向の幅は、大スプーンの厚さと整合するように配置されてもよく、大スプーンと小スプーンとは、図６に示すように、スプーンの匙口を側面に向けさせるように配置される。図６において、スプーン４２６の匙口は、正側面（図示は左に向く）に向いて、容易に理解できるように、スプーンの匙口を側面の上方に向けさせるように、スプーン４２６は少し傾斜するように配置されてもよい。本実施形態に言及されたスプーンの匙口が側面に向くことは、スプーンの匙口が正側面に向くことと、スプーンの匙口が側面の上方に向くこととを含む。スプーンの匙口が側面に向くことで、スプーンの匙口の凹んだ位置は、もう最低点に位置していなく、このように、先端の噴水システムから噴き出された水がスプーンの匙口に滴り落ちた場合、残留水がスプーンの匙口内の凹んだ位置に集まることがなく、スプーンの匙口の表面に沿って下に流動し、汚れがスプーンの匙口内の凹んだ位置に集まることを避け、さらに、スプーンの洗浄効果を向上させる。
【００４３】
トレイユニットの食器洗浄効果を向上させるために、本実施形態において、図５及び図６に示すように、凹み溝２１は、スプレーアーム２２を取り囲むように配置される収容領域２１３と、収容領域２１３の外周に位置するとともに、トレイユニットに置かれたスプーン４２６の匙口の上方に位置する水流拡張領域２１４とを有する。本実施形態において、案内面２１２は水流拡張領域２１４の頂壁の表面を含む。前記スプーン貯蔵領域４２は、前記スプーンの匙口が単一方向で置かれるように配置され、本実施形態において、図１、図２及び図６に示すように、スプーン貯蔵領域４２はスプーンの匙口を置くための第１側と、スプーンのハンドルを置くための第２側とを有し、本実施形態では、前記大スプーン貯蔵領域４２２において、大スプーンの匙口がライナの後壁に向いて、大スプーンのハンドルがライナの前側の開放口２４に向くから、大スプーン貯蔵領域４２２の第１側がライナの後壁に接近し、大スプーン貯蔵領域４２２の第２側がライナの開放口に接近し、小スプーン貯蔵領域４２１において、ライナの前後方向に沿って２列の小スプーンが置かれるから、前記第１側が単列の小スプーンの、ライナに接近する後壁にあり、前記第２側が単列の小スプーンの、ライナに接近する開放口にあり、水流拡張領域２１４の側壁が、ライナ後壁に接近する列の小スプーン領域の第１側に跨って、大スプーン貯蔵領域４２２の第１側に延伸するとともに、ライナの開放口に接近する列の小スプーン領域の第１側に引き返し、即ち、前記水流拡張領域２１４の側壁が、スプーン貯蔵領域４２の第１側の上方に設けられる。
【００４４】
本実施形態において、スプレーアーム２２は収容領域２１３に設けられるから、スプレーアーム２２から噴き出された水は、直接的に収容領域２１３の下方にある箸類食器を洗浄できる。水流拡張領域２１４の配置により、凹み溝の頂壁に噴射された水が、案内面２１２を介して水流拡張領域２１４に流入し、側壁２１１に流れ、このように、水流は水流拡張領域２１４及び側壁２１１から同時に下向きに滴り落ちて、スプーン４２６の匙口をさらに洗浄し、スプーンの匙口の洗浄効果を保証する。
【００４５】
案内面の案内効果を向上するために、本実施形態において、案内面２１２は水平面である。他の実施形態において、案内面２１２はさらに、収容領域２１３から水流拡張領域２１４に向く傾斜面または弧面であってもよく、これによって、案内面２１２の、収容領域２１３から水流拡張領域２１４まで流動する水流に対する案内効果を向上させる。
【００４６】
トレイユニット４０における食器の全体洗浄効果を保証するために、図６に示すように、水流拡張領域２１４の、収容領域２１３から離れた側の側壁２１１は、スプーン貯蔵領域４２内の最外側のスプーンの匙口の上方にある。本出願において、水流拡張領域２１４の、収容領域２１３から離れた最遠端は、大スプーン貯蔵領域４２２の上方に延伸し、その最遠端の、大スプーン貯蔵領域４２２での投影は、大スプーンのヘッドの位置にあり、ユーザがスプーンのハンドルを把持してスプーンを配置すると、スプーンのハンドルがライナの開放口２４に接近し、スプーンのヘッドがライナに入り込むから、水流拡張領域２１４は装着口からライナの後壁の方向に延伸することで、水流拡張領域２１４の最遠端を、大スプーンのヘッドの真上に位置させ、水流拡張領域２１４の側壁からの水が大スプーンのヘッドに滴り落ちることができ、大スプーンの洗浄効果を保証する。図７に示すように、大スプーン貯蔵領域４２２の第１側がライナの後壁に接近し、第２側がライナの開放口に接近し、水流拡張領域２１４の側壁が、ライナの後壁に接近する列の小スプーン領域の第１側に跨って、大スプーン貯蔵領域４２２の第１側に延伸し、ライナの開放口に接近する列の小スプーン領域の第１側に引き返し、水流拡張領域２１４の引き返し部は、装着口までの最遠端にあり、前記水流拡張領域２１４の最遠端は、大スプーン貯蔵領域４２２の第１側の上方にあり、前記引き返し部は、大スプーンの匙口の真上にあり、滴り落ちるようにスプーンの匙口を洗浄する。その同時、水流拡張領域２１４は、前記小スプーン貯蔵領域４２１における小スプーンのヘッドの上方にある側壁２１１を有し、本出願において、水流拡張領域２１４の、ライナの後壁に接近する側壁２１１が小スプーン貯蔵領域４２１に跨って、水流拡張領域２１４の小スプーン貯蔵領域４２１における投影が、小スプーンのヘッド位置にあり、このように、十分に小スプーンのヘッドに向かって滴り落ちて、小スプーンの洗浄効果を保証する。このように、水流拡張領域２１４と収容領域２１３から形成された凹み溝２１は、トレイユニット４０での全ての食器を覆って、トレイユニット４０における食器はいずれも水流により洗浄されるように保証し、食器の全体洗浄効果を向上させる。そして、水流拡張領域２１４の側壁から滴下した水は、スプーンの匙口に滴り落ちることができ、さらに、最外側のスプーンの匙口の洗浄効果を向上させ、洗浄が不十分という状況を避ける。
【００４７】
図６から分かるように、収容領域２１３の側壁は円弧状を呈して、このような構成の収容領域２１３はスプレーアーム２２の回転輪郭とちょうど整合し、凹み溝２１の構成がより合理になる。水流拡張領域２１４の側壁と収容領域２１３の側壁とは相接するように接続され、これによって、水流拡張領域２１４の側壁と収容領域２１３の側壁との間の水流の流動に寄与し、抵抗力を減少させ、側壁２１１から水流が滴り落ちることによる洗浄効果を向上させる。
【００４８】
図６から分かるように、水流拡張領域２１４は収容領域２１３に接近する側から、収容領域２１３から離れた側へ、徐々に収縮している。このような構成において、水流拡張領域２１４がスプーンの匙口をよく覆う上に、水流拡張領域２１４のサイズが大きすぎることを避け、ライナの全体構成強度を保証し、ライナの外部にある部材に、利用可能な空間を提供する。
【００４９】
他の実施形態として、スプーン貯蔵領域４２の第１側が、ライナの開放口の方向に向いて、第２側が、ライナの後壁の方向に向くように配置されると、水流拡張領域２１４の側壁は相変わらずスプーン貯蔵領域４２の第１側の上方に設けられ、水流拡張領域２１４は、装着口からライナの開放口の方向に延伸するように配置され、水流拡張領域２１４の最遠端は相変わらず大スプーン貯蔵領域４２２の第１側にあり、引き返し部はライナの開放口の方向に接近する。
【００５０】
図９は本出願の実施形態の食器洗浄機のトレイユニットとレールとの組み合わせ模式図である。本実施形態の食器洗浄機はさらに、ライナの側壁に設けられたレール５０を有する。レール５０は側部にあるネジにより、ライナの側壁に固定され、トレイユニット４０の両側には、レール５０と対応するように係合する滑り溝構成が設けられる。滑り溝構成は、上部にある上係合筋４３と、下部にある下係合筋４４とを有し、レール５０は上係合筋４３と下係合筋４４から形成された滑り溝に係止されるとともに、滑り溝において縦方向で摺動できる。このように、滑り溝構成とレール５０とを対応するように組み合わせた後、レールと滑り溝構成との相対的な摺動により、トレイユニット４０に対する押し入れまたは引き出しを実現できる。本実施形態において、図９に示すように、上係合筋４３と下係合筋４４とが交互に配置されることで、滑り溝とレールとの間の摩擦力を減少させ、滑り溝構成とレール５０との組み合わせ及び分離を便利にする。
【００５１】
図１０はレールの構成模式図である。図１０に示すように、レール５０は楔形頭部５１と本体部５２とを有し、楔形頭部５１は本体部５２の先端にあり、楔形頭部５１の底面と本体部５２の底面とは段階５３を形成する。このような構成のレール５０は、図９に示される状態のように、トレイユニット４０が縦方向に沿って引き出される場合、後部にある下係合筋４４は楔形頭部５１と本体部５２から形成された段階５３に当接され、トレイユニット４０が引き出される過程で、レール５０と分離することを避け、トレイユニット４０のプッシュプル効果をよりよく実現する。以上は本出願が開示した実施形態であるが、前記内容は、本出願を限定せず、ただ本出願を便利に理解するために、採用した実施形態である。当業者であれば、本出願が開示した精神及び範囲から逸脱しない前提で、実施の形式及び細部で、いずれの補正及び変更を行ってもよく、例えば、本出願において、小スプーン貯蔵領域４２１と命名されるが、実際、該貯蔵領域にフォークなどのような食器を配置してもよく、そして、大スプーン貯蔵領域４２２にも、同じように網杓子、計量スプーンなどのような食器を配置してもよく、箸貯蔵領域４１にも、同じように類似の他の扁平状食器を配置してもよく、本出願の具体的な構成形式を逸脱しない設計は、いずれも本出願の保護範囲に該当すべきでる。
【符号の説明】
【００５２】
５・・・入水ジョイント；
８・・・装着口；
９・・・第１ボス；
１０・・・ハウジング；
１１・・・第１位置制限フランジ；
１２・・・ねじ柱；
１６・・・段階面；
１７・・・シールリング；
１８・・・位置制限溝；
１９・・・環状位置制限リブ；
２０・・・ライナ；
２１・・・凹み溝；
２１１・・・側壁；
２１２・・・案内面；
２１３・・・収容領域；
２１４・・・水流拡張領域；
２２１・・・第１噴射口；
２３１・・・水通過孔；
２３２・・・環状隙間；
２２・・・スプレーアーム；
２３・・・枢軸；
２４・・・開放口；
３０・・・椀かご；
３１・・・皿；
３２・・・椀；
４０・・・トレイユニット；
４１・・・箸貯蔵領域；
４２・・・スプーン貯蔵領域；
４２１・・・小スプーン貯蔵領域；
４２２・・・大スプーン貯蔵領域；
４２６・・・スプーン；
４３・・・上係合筋；
４４・・・下係合筋；
５０・・・レール；
５１・・・楔形頭部；
５２・・・本体部；
５３・・・段階。
【図１】
0003235098.tif 000003
0003235098.tif 000004
【図２】
0003235098.tif 000005
【図３】
0003235098.tif 000006
【図４】
0003235098.tif 000007
【図５】
0003235098.tif 000008
【図６】
0003235098.tif 000009
【図７】
0003235098.tif 000010
【図８】
0003235098.tif 000011
【図９】
0003235098.tif 000012
【図１０】
0003235098.tif 000013